(57)【要約】    【課題】エッジガードを使い捨てのパーツで形成し、必要なときに取替可能とする。    【解決手段】スキーパンツ（１１）裾部に接合されるエッジガード受け部（１２，１２Ａ−Ｄ）と、このエッジガード受け部に挿入されるエッジガード本体（１３，１３Ａ−Ｄ）とからなる。前記エッジガード受け部（１２，１２Ａ−Ｄ）は、入口部（１６）と外側の一側部（１７）が開放され、左右側部（１８，１９）及び底部（２０）が閉鎖された柱状のエッジガード挿入部（１５，１５Ａ−Ｄ）を有する。前記エッジガード本体（１３，１３Ａ−Ｄ）は、エッジガード挿入部（１５，１５Ａ−Ｄ）にスライド式に挿入される基部（２３）と、この基部から立ち上がる隆起部（２４）からなる。【選択図】図２
2007023456.tif 000002
【特許請求の範囲】
【請求項１】
スキーパンツ（１１）裾部に接合されるエッジガード受け部（１２，１２Ａ−１２Ｄ）と、このエッジガード受け部に挿入されるエッジガード本体（１３，１３Ａ−１３Ｄ）とからなり、
前記エッジガード受け部（１２，１２Ａ−１２Ｄ）は、入口部（１６）と外側の一側部（１７）が開放され、左右側部（１８，１９）及び底部（２０）が閉鎖された柱状のエッジガード挿入部（１５，１５Ａ−１５Ｄ）を有し、
前記エッジガード本体（１３，１３Ａ−１３Ｄ）は、前記エッジガード挿入部（１５，１５Ａ−１５Ｄ）にスライド式に挿入される基部（２３）と、この基部から立ち上がる隆起部（２４）からなることを特徴とするエッジガード（１０，１０Ａ−１０Ｄ）。
【請求項２】
前記エッジガード本体（１３Ｂ，１３Ｃ）と前記エッジガード挿入部（１５Ｂ，１５Ｃ）のいずれかに小突起（２９；３４，３５）、他方にそれに対応する窪み（３０；３２，３３）を設けた請求項１記載のエッジガード（１０Ｂ，１０Ｃ）。
【請求項３】
前記開放一側部（１７）において、左右側部（１８，１９）から短い延長部（２１，２２）が伸びている請求項１又は２記載のエッジガード（１０，１０Ａ−１０Ｄ）。
【請求項４】
前記エッジガード本体（１３）の前記隆起部（２４）が、前記延長部（２１，２２）を露出させる蒲鉾状である請求項３記載のエッジガード（１０，１０Ｂ−１０Ｄ）。
【請求項５】
前記エッジガード本体（１３Ａ）の前記隆起部（２４Ａ）が、前記延長部（２１Ａ，２２Ａ）を被覆するキノコ状である請求項３記載のエッジガード。
【請求項６】
前記エッジガード挿入部（１５Ｄ）の上方にフラップ（３６）を設けた請求項１ないし５のいずれかに記載のエッジガード。
【請求項７】
請求項１ないし６のいずれかに記載のエッジガードを有するスキーパンツ。
【請求項８】
裾部に第１接合部（４１）を設けたスキーパンツ（１１）と、
前記スキーパンツの第１接合部（４１）に接合可能な第２接合部（４２）を底面に有するエッジガード本体（１３Ｅ）と、からなり、
前記第１接合部（４１）と第２接合部（４２）は、着脱自在であることを特徴とするスキーパンツ（１１）。
【請求項９】
前記第１接合部（４１）と第２接合部（４２）が面ファスナである請求項８記載のスキーパンツ（１１）。
【発明の詳細な説明】
【技術分野】
【０００１】
本発明はエッジガード及びこれを有するスキーパンツに関する。
【背景技術】
【０００２】
スキー板のエッジにより、スキーパンツの裾が切れるのを防止するため、この裾部にはエッジガードが取り付けられている。通常、エッジガードは、スキーパンツと同素材の生地、天然皮革、人工皮革、合成樹脂、等の小片から製作されている。下記特許文献１に記載されているように、「エッジガードは、アウターの内側（内股側）及び外側（外気側）とにおいて裾口にしっかりと固定される。」（特許文献１の［００１１］参照）。
【特許文献１】特開２００２−１８０３０６
【発明の開示】
【発明が解決しようとする課題】
【０００３】
エッジガードは、比較的に硬い素材で製作されるが、スキー板のエッジとの接触を繰り返すうちにそれ自体が破損するようになる。そのようなとき、専門店に修理に出すか、破損個所はわずかであるにも拘わらず、スキーパンツ全体を買い換えるしかなくなる。いずれにしてもかなりの出費を強いられる。
【０００４】
本発明は、エッジガードを使い捨てのパーツで形成し、必要なときに取替可能とすることにより、そのような無駄な出費を軽減することを目的とする。
【課題を解決するための手段】
【０００５】
本発明のエッジガードは、第１の観点では、スキーパンツ裾部に接合されるエッジガード受け部と、このエッジガード受け部に挿入されるエッジガード本体とからなり、前記エッジガード受け部は、入口部と外側の一側部が開放され、左右側部及び底部が閉鎖された柱状のエッジガード挿入部を有し、前記エッジガード本体は、エッジガード挿入部にスライド式に挿入される基部と、この基部から立ち上がる隆起部からなることを特徴とする。
【０００６】
第２の観点では、本発明はスキーパンツであり、前記第１の観点のエッジガードを有することを特徴とする。
【０００７】
第３の観点では、本発明のスキーパンツは、裾部に第１接合部を設けたスキーパンツと、前記スキーパンツの第１接合部に接合可能な第２接合部を底面に有するエッジガード本体とからなり、前記第１接合部と第２接合部は、着脱自在であることを特徴とする。
【発明の効果】
【０００８】
本発明の第１，第２の観点によれば、エッジガード本体はエッジガード挿入部に対して抜き取り及び挿入が可能である。したがって、エッジガード本体が破損したときには、これだけを取り出し、別の新しいエッジガード本体と交換することができる。そうすることにより、エッジガードの修理やスキーパンツの買い換えの必要がなくなる。
【０００９】
本発明の第３の観点によれば、エッジガード本体は第２接合部を有し、スキーパンツ側の第１接合部と接合可能である。したがって、エッジガード本体が破損したときには、これだけを取り外し、別の新しいエッジガード本体と交換することができる。そうすることにより、エッジガードの修理やスキーパンツの買い換えの必要がなくなる。
【発明を実施するための最良の形態】
【００１０】
前記第１，第２の観点による本発明においては、前記開放一側部は左右側部から短い延長部が伸びているものとすることが好ましい。前記エッジガード本体の隆起部は、この延長部を露出させる蒲鉾状とすることができる。又は、キノコ状としてキノコの傘でこの延長部を被覆することもできる。
【００１１】
さらに、前記エッジガード本体が抜け落ちるのを防止するため、エッジガード本体とエッジガード挿入部のいずれかに小突起、他方にそれに対応する窪みを設けることもできる。突起の形状は立方体、直方体、半球体とすることができる。
【００１２】
また、同じ目的で、エッジガード挿入部の上方にフラップを設けることができる。フラップと生地を開閉するために止め具（スナップボタン、スナップファスナ、面ファスナ、等）を取り付けることが好ましい。
【００１３】
前記第３の観点で使用する第１，第２接合具としては、面ファスナが最も好ましい。面ファスナは、雌雄部材からなるものや、雌雄混合部材からなるものが使用可能である。その他、スナップファスナやスナップボタンも使用可能である。
【００１４】
前記エッジガード受け部及びエッジガード本体は、それぞれ、硬質合成樹脂、例えば硬質ウレタン樹脂から成形することができる。
【００１５】
以下、添付の図面に基づき、本発明の実施例を説明する。
【実施例１】
【００１６】
図１は、本発明の第１実施例に係るエッジガード１０を取り付けたスキーパンツ１１の全体図である。図２及び図３は、このエッジガード１０の拡大図である。エッジガード受け部１２と、ここに挿入されるエッジガード本体１３とからなる。それぞれ、硬質合成樹脂、例えば硬質ウレタン樹脂からなる。
【００１７】
エッジガード受け部１２は、スキーパンツ裾部に縁部１４ａ，１４ｂが接合される基部１４と、この基部１４上のエッジガード挿入部１５とからなる。エッジガード受け部１２とスキーパンツ裾部の接合は、糸による縫合やホットメルト溶着などによる。
【００１８】
エッジガード挿入部１５は、入口部１６と外側の一側部１７が開放され、左右側部１８，１９及び底部２０が閉鎖された平板四角柱状である。外側の一側部は左右側部から短い延長部２１，２２が伸びている。
【００１９】
エッジガード本体１３は、エッジガード挿入部１５にスライド式に挿入される基部２３と、基部から立ち上がる蒲鉾状の隆起部２４からなる。
【００２０】
エッジガード隆起部２４は、図２の矢印に示すように、エッジガード挿入部１５にスライド式に挿入可能である。挿入完了時においては、図３に示すように、エッジガード基部２３がエッジガード挿入部１５に嵌り、エッジガード挿入部１５の開放一側部１７に隆起部２４が嵌る。隆起部２４の頂部は外方に向かってなだらかに突出する。スキー板のエッジはこの隆起部２４に接触する。
【実施例２】
【００２１】
図４及び図５は、本発明の第２実施例に係るエッジガード１０Ａである。エッジガード受け部１２Ａと、ここに挿入されるエッジガード本体１３Ａとからなる。第１実施例と同様の部品には、第１実施例の符号に「Ａ」をつけてその説明を省略する。
【００２２】
第１実施例との相違は、第１実施例においては、蒲鉾状の隆起部２４はエッジガード挿入部１５の開放一側部１７のみを覆っていたのに対して、第２実施例では、隆起部２４Ａはキノコ状であり、開放一側部１７Ａのみならず、キノコの傘２６，２７でその左右延長部２１Ａ，２２Ａも覆っていることである。
【００２３】
この実施例では、左右延長部２１Ａ，２２Ａもスキー板のエッジから保護することができるので、エッジガードが長持ちする。
【実施例３】
【００２４】
図６は、本発明の第３実施例に係るエッジガード１０Ｂである。エッジガード受け部１２Ｂと、ここに挿入されるエッジガード本体１３Ｂとからなる。第１実施例と同様の部品には、第１実施例の符号に「Ｂ」をつけてその説明を省略する。
【００２５】
第３実施例が、第１実施例と異なるのは、エッジガード本体１３Ｂに内側（人体側）に突出する小突起２９があり、エッジガード挿入部１５Ｂにこの小突起を収容する窪み３０があることである。
【００２６】
この実施例では、エッジガード本体１３Ｂがエッジガード挿入部１５Ｂに挿入されたとき、エッジガード本体１３Ｂの小突起２９がエッジガード挿入部１５Ｂの窪み３０に嵌るので、両者の結合は確実なものとなり、エッジガード本体１３Ｂが抜け落ちる虞がなくなる。
【実施例４】
【００２７】
図７は、本発明の第４実施例に係るエッジガード１０Ｃである。エッジガード受け部１２Ｃと、ここに挿入されるエッジガード本体１３Ｃとからなる。第１実施例と同様の部品には、第１実施例の符号に「Ｃ」をつけてその説明を省略する。
【００２８】
第４実施例が、第１実施例と異なるのは、エッジガード本体１３Ｃの左右縁部２３Ｃに三角形の切り込み３２，３３があり、エッジガード挿入部１５Ｃにこの切り込みに嵌る小突起３４，３５があることである。
【００２９】
この実施例では、エッジガード本体１３Ｃがエッジガード挿入部１５Ｃに挿入されたとき、エッジガード本体１３Ｃの切り込み３２，３３にエッジガード挿入部の小突起３４，３５が嵌るので、両者の結合は確実なものとなり、エッジガード本体１３Ｃが抜け落ちる虞がなくなる。
【実施例５】
【００３０】
図８は、本発明の第５実施例に係るエッジガード１０Ｄである。エッジガード受け部１２Ｄと、ここに挿入されるエッジガード本体１３Ｄとからなる。第１実施例と同様の部品には、第１実施例の符号に「Ｄ」をつけてその説明を省略する。
【００３１】
第５実施例が、第１実施例と異なるのは、エッジガード受け部１２Ｄの上方にフラップ３６があり、エッジガード本体１３Ｄの上部を閉鎖していることである。フラップには、スナップファスナの雄部材３７が取り付けられており、スキーパンツ側の雌部材３８と係合可能である。
【００３２】
この実施例では、エッジガード本体１３Ｄがエッジガード挿入部１５Ｄに挿入されたとき、フラップ３６のために、エッジガード本体１３Ｄが抜け落ちる虞がなくなる。
【実施例６】
【００３３】
図９は、本発明の第５実施例に係るエッジガード１０Ｅである。図１０は、エッジガード１０Ｅの断面図である。
【００３４】
この実施例では、実施例１〜５で見たようなエッジガード挿入部が存在せず、エッジガード本体１３Ｅが面ファスナ４０を介してスキーパンツ１１の生地に着脱自在に取り付けられる。面ファスナは、雌雄部材４１、４２からなるものや、雌雄混合部材からなるものが使用可能である。
【００３５】
この実施例によれば、エッジガード挿入部が存在しないので、製造コストが下げられるという利点がある。
【図面の簡単な説明】
【００３６】
【図１】本発明のエッジガードを取り付けたスキーパンツの全体図である。
【図２】本発明の第１実施例に係るエッジガードの斜視図である。
【図３】図２の横断面図である。
【図４】本発明の第２実施例に係るエッジガードの斜視図である。
【図５】図３の横断面図である。
【図６】本発明の第３実施例に係るエッジガードの斜視図である。
【図７】本発明の第４実施例に係るエッジガードの斜視図である。
【図８】本発明の第５実施例に係るエッジガードの斜視図である。
【図９】本発明のエッジガードを取り付けたスキーパンツの全体図である。
【図１０】図９の横断面図である。
【符号の説明】
【００３７】
１０   エッジガード
１０Ａ−１０Ｅ  エッジガード
１１   スキーパンツ
１２   エッジガード受け部
１２Ａ−１２Ｄ         エッジガード受け部
１３   エッジガード本体
１３Ａ−１３Ｅ  エッジガード本体
１４   基部
１５   エッジガード挿入部
１５Ａ−１５Ｄ  エッジガード挿入部
１６   入口部
１７   開放一側部
１７Ａ−１７Ｄ         開放一側部
２０   底部
２１，２２    延長部
２１Ａ，２２Ａ       延長部
２３   エッジガード基部
２４   エッジガード隆起部
２４Ａ−２４Ｄ       隆起部
２９   小突起
３６   フラップ
２６，２７    傘
３４，３５    小突起
【図１】
2007023456.tif 000003
【図２】
2007023456.tif 000004
【図３】
2007023456.tif 000005
【図４】
2007023456.tif 000006
【図５】
2007023456.tif 000007
【図６】
2007023456.tif 000008
【図７】
2007023456.tif 000009
【図８】
2007023456.tif 000010
【図９】
2007023456.tif 000011
【図１０】
2007023456.tif 000012